(57)【要約】  【課題】メモ用紙や名刺などのような紙片を一時的に、見やすい状態に保持しておくのに適するシート類ホルダーに関し、紙片類を確実に保持できる信頼性の高い保持手段を簡易にかつ安価に実現する。  【解決手段】使用に際して上下方向にセットされるホルダー板にほぼ水平方向の切り目を設けてあり、この切り目にメモ用紙などのような紙片などの角部を下側から上向きに挿入することによって保持させることを特徴とするペーパー保持方法であり、確実に保持でき、しかも装置の構成も極めて簡素で安価に実現できる。【選択図】          図１
2006015568.tif 000002
【特許請求の範囲】
【請求項１】
使用に際して上下方向にセットされるホルダー板にほぼ水平方向の切り目を設けてあり、この切り目にメモ用紙その他のシート類の角部を下側から上向きに挿入することによって保持させることを特徴とするシート類保持方法。
【請求項２】
前記のほぼ水平方向の切り目から所定の間隔をおいて下側にもほぼ水平方向の切り目を設けておき、この下側のほぼ水平方向の切り目の中に前記のシート類の下側の角部を下向きに差し込んで保持させることを特徴とする請求項１に記載のシート類保持方法。
【請求項３】
前記のホルダー板の背面を、ゴム様の弾性板を介して、剛体面に重ねて使用することを特徴とする請求項１または請求項２に記載のシート類保持方法。
【請求項４】
メモ用紙その他のシート類を保持するシート類ホルダーであって、
所定の厚みを有する可撓性のホルダー板が、任意の角度で上下方向にセット可能となっていること、
前記のホルダー板には、上下方向にセットされた状態におけるほぼ水平方向に切り目を設けてあること、
を特徴とするシート類ホルダー。
【請求項５】
前記のほぼ水平方向の切り目から所定の間隔をおいて下側にもほぼ水平方向の切り目を設けてあることを特徴とする請求項４に記載のシート類ホルダー。
【請求項６】
前記の切り目の両端に、ほぼ円形の貫通穴を開けてあることを特徴とする請求項４または請求項５に記載のシート類ホルダー。
【請求項７】
前記のホルダー板が合成樹脂製であって、板厚が0.２〜2.０ｍｍであることを特徴とする請求項４、請求項５または請求項６に記載のシート類ホルダー。
【請求項８】
前記のほぼ水平方向の切り目として、長さの異なる複数の切り目を設けてあることを特徴とする請求項４、請求項５、請求項６または請求項７に記載のシート類ホルダー。
【請求項９】
前記のホルダー板が上下逆向きにまたは裏返しに使用可能となっていることを特徴とする請求項４から請求項８までのいずれかの項に記載のシート類ホルダー。
【発明の詳細な説明】
【技術分野】
【０００１】
本発明は、例えばメモ用紙や名刺、葉書、掲示文書、書類、見本文、写真などのような紙片あるいは写真のネガフィルムその他のシート類を一時的に、見やすい状態に保持しておくのに適するシート類ホルダーに関する。
【背景技術】
【０００２】
ペーパーホルダーとして適する書類クリップとして、実開平２−126885号公報に記載のように、弾力性を有する板の適当な位置に舌片状の切り込みを上向きに入れて、押さえ片を形成してなる構造が提案されている。また、実開平２−150287号公報に記載のように、弾性シートにほぼコ字状の切り込みを形成して舌片を形成し、さらにこの舌片の表面および舌片両側の弾性シート裏面に滑り止め部を形成してなる紙クリップが提案されている。
【０００３】
【特許文献１】実開平２−126885号公報
【特許文献２】実開平２−150287号公報
【発明の開示】
【発明が解決しようとする課題】
【０００４】
ところが、特許文献１のような構造では、名刺程度の小型の紙片なら、舌片の裏側に下向きに差し込んで仮保持できるが、サイズが大きな紙片になると、安定性が悪く、容易に脱落する恐れがある。また、繰り返し使用している間に、舌片が次第に開いてきて、紙片などの保持力が低下してくるので、寿命が極めて短い。
【０００５】
また、特許文献２の構成においては、下向きの舌片を形成しておくが、舌片では、紙片の保持力が十分でないため、紙片などが容易に脱落してしまうといった恐れがあり、紙クリップとしての信頼性に欠ける。保持力を高めるべく、滑り止めを設けたり、折り返しを設けたりしているが、構造が複雑化するという問題が生じる。
【０００６】
本発明の技術的課題は、このような問題に着目し、紙片類を確実に保持できる信頼性の高い保持手段を簡易にかつ安価に実現することにある。
【課題を解決するための手段】
【０００７】
本発明の技術的課題は次のような手段によって解決される。請求項１は、使用に際して上下方向にセットされるホルダー板にほぼ水平方向の切り目を設けてあり、この切り目にメモ用紙などのようなシート類の角部を下側から上向きに挿入することによって保持させることを特徴とするペーパー保持方法である。このように、使用に際して上下方向にセットされるホルダー板にほぼ水平方向の切り目を設けてあり、この切り目にメモ用紙などのシート類の角部を下側から上向きに挿入することによって保持させる方法を採っているため、舌片などで挟持して保持させる手法に比べて、ホルダー板自体の剛性で保持するので保持力が大きく、より確実に保持できる。また、使用している間に舌片が次第に開いてきて、保持力が低下してくるといったこともない。ホルダー板に切り目を設けるだけであるから、装置の構成も極めて簡素であり、極めて安価に実現できる。
【０００８】
請求項２は、前記のほぼ水平方向の切り目から所定の間隔をおいて下側にもほぼ水平方向の切り目を設けておき、この下側のほぼ水平方向の切り目の中に前進のメモ用紙などの下側の角部を下向きに差し込んで保持させることを特徴とする請求項１に記載のペーパー保持方法である。このように、前記のほぼ水平方向の切り目から所定の間隔をおいて下側にもほぼ水平方向の切り目を設けておき、この下側のほぼ水平方向の切り目の中に前記の紙片の下側の角部を下向きに差し込んで保持させるため、紙片の下側も水平方向の切り目に差し込んで保持でき、紙片の保持がより確実となり、紙片保持の信頼性が向上する。
【０００９】
請求項３は、前記のホルダー板の背面を、ゴム様の弾性板を介して、剛体面に重ねて使用することを特徴とする請求項１または請求項２に記載のペーパー保持方法である。このように、前記のホルダー板の背面を、ゴム様の弾性板を介して、剛体面に重ねて使用する方法によると、紙片などの角部を挿入するために水平方向の切り目を開ける際に、切り目より下側を押すだけで、切り目が開くと共に、切り目の背部の弾性板が後退して、紙片を挿入できる隙間ができるので、紙片の角部を極めて容易に挿入できる。そして、挿入後は、押す力を開放すれば、切り目のが復元し閉じて紙片などが挟持保持されるので、取り扱いは至って簡便である。
【００１０】
請求項４は、シート類ホルダーの構成であり、メモ用紙などのようなシート類を保持するシート類ホルダーであって、所定の厚みを有する可撓性のホルダー板が、任意の角度で上下方向にセット可能となっていること、前記のホルダー板には、上下方向にセットされた状態におけるほぼ水平方向に切り目を設けてあること、を特徴とするシート類ホルダーである。このように、可撓性のホルダー板にほぼ水平方向に切り目を設けてある構造であるため、使用に際して、このシート類ホルダーを上下方向にセットしておくだけで、切り目に紙片などの角部を挿入することによって、紙片などのシート類を挟持し保持できる。そして、舌片などで挟持して保持させる構造に比べて、ホルダー板自体の剛性でより強固に保持でき、また、舌片が次第に開いてきて、保持力の低下を来すといったこともない。ホルダー板に切り目を設けた簡易な構造であるから、極めて安価に実現できる。
【００１１】
請求項５は、前記のほぼ水平方向の切り目から所定の間隔をおいて下側にもほぼ水平方向の切り目を設けてあることを特徴とする請求項４に記載のシート類ホルダーである。このように、前記のほぼ水平方向の切り目から所定の間隔をおいて下側にもほぼ水平方向の切り目を設けてあるため、この下側の切り目に、紙片などの下側の角部を挿入保持でき、紙片などが上下２箇所で保持されるので、離脱し脱落するのをより確実に防止できる。
【００１２】
請求項６は、前記の切り目の両端に、ほぼ円形の貫通穴を開けてあることを特徴とする請求項４または請求項５に記載のシート類ホルダーである。このように、前記の切り目の両端に、ほぼ円形の貫通穴を開けてあるため、シート類ホルダーが切り目の端部から裂けて、損傷するのを防止できる。
【００１３】
請求項７は、前記のホルダー板が合成樹脂製であって、板厚が0.２〜2.０ｍｍであることを特徴とする請求項４、請求項５または請求項６に記載のシート類ホルダーである。このように、前記のホルダー板が合成樹脂製であって、板厚が0.２〜2.０ｍｍであるため、構成が極めて簡素な装置となり、平坦で嵩張らないため、運搬や保管も容易になる。
【００１４】
請求項８は、前記のほぼ水平方向の切り目として、長さの異なる複数の切り目を設けてあることを特徴とする請求項４、請求項５、請求項６または請求項７に記載のシート類ホルダーである。このように、前記のほぼ水平方向の切り目として、長さの異なる複数の切り目を設けてあるため、長さの短い切り目には、サイズの小さな紙片などを挿入して保持でき、長さの長い切り目には、サイズの大きな紙片などを挿入して安定保持できる。したがって、単一のペーパーホルダーによって、各種サイズのシート類を挟持して保持できる。
【００１５】
請求項９は、前記のホルダー板が上下逆向きにまたは裏返しに使用可能となっていることを特徴とする請求項４から請求項８までのいずれかの項に記載のシート類ホルダーである。このように、前記のホルダー板が上下逆向きにまたは裏返しに使用可能となっているため、長期間使用している間に切り目の上下が永久変形してきた場合は、ホルダー板を上下逆向きにしたり、裏返しにして使用することによって、永久変形してきた部分が逆向きに変形するように使用できるため、より長期間にわたって継続使用できる。
【発明の効果】
【００１６】
請求項１のように、使用に際して上下方向にセットされるホルダー板にほぼ水平方向の切り目を設けてあり、この切り目にメモ用紙などのシート類の角部を下側から上向きに挿入することによって保持させる方法を採っているため、舌片などで挟持して保持させる手法に比べて、ホルダー板自体の剛性で保持するので保持力が大きく、より確実に保持できる。また、使用している間に舌片が次第に開いてきて、保持力が低下してくるといったこともない。ホルダー板に切り目を設けるだけであるから、装置の構成も極めて簡素であり、極めて安価に実現できる。
【００１７】
請求項２のように、前記のほぼ水平方向の切り目から所定の間隔をおいて下側にもほぼ水平方向の切り目を設けておき、この下側のほぼ水平方向の切り目の中に前記の紙片の下側の角部を下向きに差し込んで保持させるため、紙片の下側も水平方向の切り目に差し込んで保持でき、紙片の保持がより確実となり、紙片保持の信頼性が向上する。
【００１８】
請求項３のように、前記のホルダー板の背面を、ゴム様の弾性板を介して、剛体面に重ねて使用する方法によると、紙片などの角部を挿入するために水平方向の切り目を開ける際に、切り目より下側を押すだけで、切り目が開くと共に、切り目の背部の弾性板が後退して、紙片を挿入できる隙間ができるので、紙片の角部を極めて容易に挿入できる。そして、挿入後は、押す力を開放すれば、切り目のが復元し閉じて紙片などが挟持保持されるので、取り扱いは至って簡便である。
【００１９】
請求項４のように、可撓性のホルダー板にほぼ水平方向に切り目を設けてある構造であるため、使用に際して、このシート類ホルダーを上下方向にセットしておくだけで、切り目に紙片などの角部を挿入することによって、紙片などのシート類を挟持し保持できる。そして、舌片などで挟持して保持させる構造に比べて、ホルダー板自体の剛性でより強固に保持でき、また、舌片が次第に開いてきて、保持力の低下を来すといったこともない。ホルダー板に切り目を設けた簡易な構造であるから、極めて安価に実現できる。
【００２０】
請求項５のように、前記のほぼ水平方向の切り目から所定の間隔をおいて下側にもほぼ水平方向の切り目を設けてあるため、この下側の切り目に、紙片などの下側の角部を挿入保持でき、紙片などが上下２箇所で保持されるので、離脱し脱落するのをより確実に防止できる。
【００２１】
請求項６のように、前記の切り目の両端に、ほぼ円形の貫通穴を開けてあるため、シート類ホルダーが切り目の端部から裂けて、損傷するのを防止できる。
【００２２】
請求項７のように、前記のホルダー板が合成樹脂製であって、板厚が0.２〜2.０ｍｍであるため、構成が極めて簡素な装置となり、平坦で嵩張らないため、運搬や保管も容易になる。
【００２３】
請求項８のように、前記のほぼ水平方向の切り目として、長さの異なる複数の切り目を設けてあるため、長さの短い切り目には、サイズの小さな紙片などを挿入して保持でき、長さの長い切り目には、サイズの大きな紙片などを挿入して安定保持できる。したがって、単一のペーパーホルダーによって、各種サイズのシート類を挟持して保持できる。
【００２４】
請求項９のように、前記のホルダー板が上下逆向きにまたは裏返しに使用可能となっているため、長期間使用している間に切り目の上下が永久変形してきた場合は、ホルダー板を上下逆向きにしたり、裏返しにして使用することによって、永久変形してきた部分が逆向きに変形するように使用できるため、より長期間にわたって継続使用できる。
【発明を実施するための最良の形態】
【００２５】
次に本発明によるシート類ホルダーが実際上どのように具体化されるか実施形態を説明する。図１は本発明によるシート類ホルダーの使用状態を示す正面図とＡ−Ａ断面図である。１はペーパーホルダー本体となるホルダー板であり、板厚が0.２〜2.０ｍｍ程度の透明又は半透明の合成樹脂板である。したがって、可撓性に富んだ薄板体となる。使用に際しては、両面接着テープ７などで壁面などに取付け固定することにより、図示のように、上下方向にセットしておく。このように、上下方向にセットされた状態におけるほぼ水平方向に切り目２を設けてあるので、この切り目２より下側を押し開けて、メモ用紙などのような紙片３の上端の角部３ａを挿入してから、押し開け力を解除すると、切り目２の上側１ａと下側１ｂとの間に挟持されて、脱落しないように保持される。
【００２６】
図２は、ホルダー板１のみの断面図であり、通常は（１）のように、切り目２は閉じた状態になっているが、切り目２の下側１ｂを矢印ａ１方向に押し込んで多少変形させると、切り目２の上側１ａに対し下側１ｂが変形して、（２）のように切り目２が上下に開口する。このように開口させた状態で、矢印ａ２方向に紙片３の角部３ａを挿入する。そして、矢印ａ１方向の押圧力を解除すると、下側１ｂが元に戻って、切り目２が閉じようとする。このときの復元力で、紙片３が上側１ａと下側１ｂとの間に挟持されることになる。
【００２７】
ホルダー板１が剛体の上に重なっていると、矢印ａ１方向の力を加えて図２（２）のように変形させるのが困難である。したがって、使用に際しては、図３のように、剛体の面４とホルダー板１の裏面との間に、スポンジのような柔軟な板５を挟んで重ねておくのがよい。その結果、切り目２の下側１ｂを矢印ａ１方向に加圧すると、下側１ｂが、鎖線のように変形してスポンジ板５の中に沈み込む。その結果、（２）のように、スポンジ板５は、切り目２より上側の領域も引っ張られて一緒に沈み込んで、切り目２の上側１ａとの間に隙間６が形成される。
【００２８】
したがって、この隙間６中に、矢印ａ２方向に紙片３の角部３ａを差し込むことができる。挿入操作が完了したら、矢印ａ１方向の加圧力を解除すると、紙片３は図１（２）のように、切り目２の上側１ａと下側１ｂとの間に挟持される。なお、スポンジ表面がザラザラしているために、紙片３の先端がスポンジ５表面に引っ掛かって円滑に挿入不可能となる恐れがある場合は、スポンジ５の表面に円滑なシートなどを貼りつけておくなどの平滑化処理をしておくのがよい。
【００２９】
ほぼ水平方向の切り目２として、図４のように、長さの異なる複数本の切り目２１、２２、２３を形成することもできる。切り目２１、２２、２３の全長は任意であるが、例えば４〜１０ｃｍ程度がよい。そして、短い切り目２１には、名刺のような小さな紙片３の角部を挿入して支持させる。長い切り目２３には、例えばＡ４サイズの大きな紙片３３の上側の角部を挿入して支持させることができる。切り目２１、２２、２３のように、単に切り目を形成しただけだと、使用している間に、両端部から裂けてくるおそれがあるが、図１（１）のように、切り目２の両端に円形の貫通孔２ａ、２ｂを開けておくと、裂けるのを防止できる。
【００３０】
図５のように、水平方向の切り目２１、２２、２３の下側にも、間隔をおいて切り目２６、２７、２８を形成しておくと、下側の水平方向切り目２６、２７、２８を利用して、紙片３の下側を挿入することによって、紙片３の全荷重を下側の水平方向切り目２６、２７、２８に保持させることもできる。例えば、サイズの大きな紙片３３の上側の角部３ａを上側の切り目２２に下側から上向きに挿入すると共に、下側の角部３ｂを下側の切り目２８に上側から下向きに挿入すると、紙片３３の上下の両角部３ａ、３ｂが切り目１の裏側に挿入保持されることになる。
【００３１】
このとき、紙片３３の荷重は下側の切り目２３に支持されることになり、紙片３３が上側の切り目２２から自重で離脱し落下するようなことを防止できる。したがって、強風で吹き飛ばされるようなことも防げるので、屋外でも使用できる。下側の角部３ｂを先に挿入してから、上側の角部３ａを所望の切り目２１、２２又は２３に挿入するのもよい。なお、メモ用紙３は、傾いた状態となるが、メモ用紙３の文字列を水平（又は鉛直方向）にしたい場合は、文字列が水平（又は鉛直方向）となるように、ホルダー板１自体を回転させた状態に固定することも可能である。
【００３２】
以上のようにして、本発明によるホルダー板１を長期間使用している間に、図３（２）のように、切り目２より下側１ｂが押し込まれた状態に永久変形して、紙片の挟持力が低下してきた場合は、ホルダー板１を裏返して、再使用すると、永久変形して膨らんでいる部分を矢印ａ１方向に押し込んで紙片を挿入し挟持させることになるので、再使用できることになる。また、図１のように、紙片３の上側の角部３ａを挟持する構造の場合は、切り目より下側１ｂが押し込み状態に永久変形したら、上下逆向きにすれば、永久変形して膨らんでいる部分を矢印ａ１方向に押し込んで、紙片を挿入し挟持させることができ、長寿命のシート類ホルダーとなる。
【産業上の利用可能性】
【００３３】
以上のように、本発明によるシート類ホルダーは、メモ用紙や葉書、連絡文書などの紙片その他のシート類を一時的に、見やすい状態に保持しておくのに最適である。したがって、一時的に掲示用の紙片などを仮保持させるのにも適しており、掲示板代わりに使用できる。糊付けしたり、画鋲で止めたり、磁石で押さえたりする必要も無いので、極めて簡便である。
【図面の簡単な説明】
【００３４】
【図１】本発明によるシート類ホルダーの使用状態を示す図で、（１）は正面図、（２）はＡ−Ａ断面図である。
【図２】ホルダー板の断面図であり、（１）は通常の状態、（２）は紙片挿入時の状態である。
【図３】ホルダー板の裏面と剛体面との間にスポンジ板を挟んで重ねた実施形態の縦断面図であり、（１）は通常の状態、（２）は切り目を開いた状態である。
【図４】長さの異なる複数本の切り目を形成した実施形態の正面図である。
【図５】紙片の上端挟持用の水平方向の切り目の下側にも水平方向の切り目を形成した実施形態の正面図である。
【符号の説明】
【００３５】
１  ペーパーホルダー本体（ホルダー板）
１ａ  切り目の上側
１ｂ  切り目の下側
２１〜２３・２６〜２８  切り目
２  水平方向の切り目
３  紙片（メモ用紙）
３ａ  紙片上端の角部
３ｂ  紙片下側の角部
３３  大サイズの紙片
４  剛体の面
５  スポンジ板
６  隙間
７  両面接着テープ
【図１】
2006015568.tif 000003
【図２】
2006015568.tif 000004
【図３】
2006015568.tif 000005
【図４】
2006015568.tif 000006
【図５】
2006015568.tif 000007